【手続補正書】
【提出日】平成31年2月15日(2019.2.15)
【手続補正１】
【補正対象書類名】明細書
【補正対象項目名】０００６
【補正方法】変更
【補正の内容】
【０００６】
上記目的を達成するために、本発明の画像形成装置は、画像形成に用いられるカートリッジであって複数の消耗部品を備えるカートリッジを着脱可能な画像形成装置 において、
装着されたカートリッジの情報を取得する手段と、前記装着されたカートリッジの情報として前記複数の消耗部品の情報が取得されたことに従って、前記複数の消耗部品の情報に基づいて前記カートリッジの交換タイミングに関する情報を出力し、前記装着されたカートリッジの情報として前記複数の消耗部品のうちの一部の消耗部品の情報のみが取得されたことに従って、前記一部の消耗部品の情報に基づいて前記カートリッジの交換タイミングに関する情報を出力する手段と、を有することを特徴とする。
【手続補正２】
【補正対象書類名】特許請求の範囲
【補正対象項目名】全文
【補正方法】変更
【補正の内容】
【特許請求の範囲】
【請求項１】
画像形成に用いられるカートリッジであって複数の消耗部品を備えるカートリッジを着脱可能な画像形成装置 において、
装着されたカートリッジの情報を取得する手段と、
前記装着されたカートリッジの情報として前記複数の消耗部品の情報が取得されたことに従って、前記複数の消耗部品の情報に基づいて前記カートリッジの交換タイミングに関する情報を出力し、前記装着されたカートリッジの情報として前記複数の消耗部品のうちの一部の消耗部品の情報のみが取得されたことに従って、前記一部の消耗部品の情報に基づいて前記カートリッジの交換タイミングに関する情報を出力する手段と、を有することを特徴とする画像形成装置。
【請求項２】
画像形成に用いられるカートリッジであって複数の消耗部品を備えるカートリッジを着脱可能な画像形成装置において、
装着されたカートリッジの情報を取得する手段と、
前記装着されたカートリッジの情報として前記複数の消耗部品の情報が取得されたことに従って、前記複数の消耗部品の情報に基づいて前記カートリッジの寿命情報を出力し、前記装着されたカートリッジの情報として前記複数の消耗部品のうちの一部の消耗部品の情報のみが取得されたことに従って、前記一部の消耗部品の情報に基づいて前記カートリッジの交換タイミングに関する情報を出力する手段と、を有することを特徴とする画像形成装置。
【請求項３】
前記複数の消耗部品のうちの１つの消耗部品は、感光体、現像器、トナーのいずれかであることを特徴とする請求項１又は２記載の画像形成装置。
【請求項４】
前記一部の消耗部品の情報は、前記カートリッジ内のトナー残量に関する情報であることを特徴とする請求項１乃至３のいずれか１項に記載の画像形成装置。
【請求項５】
情報を表示する表示部を更に備え、
前記カートリッジの交換タイミングに関する情報は、前記表示部に表示されることを特徴とする請求項１乃至４のいずれか１項に記載の画像形成装置。
【請求項６】
前記カートリッジの交換タイミングに関する情報にともなって、カートリッジの交換を促すメッセージが前記表示部に表示されることを特徴とする請求項５記載の画像形成装置。
【請求項７】
情報を表示する表示部を備え、
前記寿命情報は、前記表示部に表示され、
前記寿命情報にともなって、カートリッジの交換を促すメッセージが前記表示部に表示されることを特徴とする請求項２記載の画像形成装置。
【請求項８】
前記寿命情報は、パーセント表示されることを特徴とする請求項２又は７記載の画像形成装置。
【請求項９】
第１のタイプのカートリッジから前記複数の消耗部品の情報が取得され、第２のタイプのカートリッジから前記複数の消耗部品のうちの一部の消耗部品の情報が取得されることを特徴とする請求項１乃至８のいずれか１項に記載の画像形成装置。
【請求項１０】
前記第１のタイプのカートリッジは所定のメモリを備え、前記第２のタイプのカートリッジは前記所定のメモリを備えないことを特徴とする請求項９記載の画像形成装置。
【請求項１１】
前記第１のタイプのカートリッジは純正のカートリッジであり、前記第２のタイプのカートリッジは非純正のカートリッジであることを特徴とする請求項９又は１０記載の画像形成装置。
【請求項１２】
プリンタエンジンと、少なくとも１つのプロセッサを備えるコントローラとを更に備え、
前記装着されたカートリッジの情報は、前記プリンタエンジンから取得されることを特徴とする請求項１乃至１１のいずれか１項に記載の画像形成装置。
【請求項１３】
画像形成に用いられるカートリッジであって複数の消耗部品を備えるカートリッジを着脱可能な画像形成装置の制御方法において、
装着されたカートリッジの情報を取得する工程と、
前記装着されたカートリッジの情報として前記複数の消耗部品の情報が取得されたことに従って、前記複数の消耗部品の情報に基づいて前記カートリッジの交換タイミングに関する情報を出力し、前記装着されたカートリッジの情報として前記複数の消耗部品のうちの一部の消耗部品の情報のみが取得されたことに従って、前記一部の消耗部品の情報に基づいて前記カートリッジの交換タイミングに関する情報を出力する工程と、を有することを特徴とする画像形成装置の制御方法。
【請求項１４】
画像形成に用いられるカートリッジであって複数の消耗部品を備えるカートリッジを着脱可能な画像形成装置の制御方法において、
装着されたカートリッジの情報を取得する工程と、
前記装着されたカートリッジの情報として前記複数の消耗部品の情報が取得されたことに従って、前記複数の消耗部品の情報に基づいて前記カートリッジの寿命情報を出力し、前記装着されたカートリッジの情報として前記複数の消耗部品のうちの一部の消耗部品の情報のみが取得されたことに従って、前記一部の消耗部品の情報に基づいて前記カートリッジの寿命情報を出力する工程と、を有することを特徴とする画像形成装置の制御方法。
【請求項１５】
画像形成に用いられるカートリッジであって複数の消耗部品を備えるカートリッジを着脱可能な画像形成装置の制御方法をコンピュータに実行させるプログラムにおいて、
前記画像形成装置の制御方法は、
装着されたカートリッジの情報を取得する工程と、
前記装着されたカートリッジの情報として前記複数の消耗部品の情報が取得されたことに従って、前記複数の消耗部品の情報に基づいて前記カートリッジの交換タイミングに関する情報を出力し、前記装着されたカートリッジの情報として前記複数の消耗部品のうちの一部の消耗部品の情報のみが取得されたことに従って、前記一部の消耗部品の情報に基づいて前記カートリッジの交換タイミングに関する情報を出力する工程と、を有することを特徴とするプログラム。
【請求項１６】
画像形成に用いられるカートリッジであって複数の消耗部品を備えるカートリッジを着脱可能な画像形成装置の制御方法をコンピュータに実行させるプログラムにおいて、
前記画像形成装置の制御方法は、
装着されたカートリッジの情報を取得する工程と、
前記装着されたカートリッジの情報として前記複数の消耗部品の情報が取得されたことに従って、前記複数の消耗部品の情報に基づいて前記カートリッジの寿命情報を出力し、前記装着されたカートリッジの情報として前記複数の消耗部品のうちの一部の消耗部品の情報のみが取得されたことに従って、前記一部の消耗部品の情報に基づいて前記カートリッジの寿命情報を出力する工程と、を有することを特徴とするプログラム。